【事件の表示】
　特願２０１６−２４８４２６号「遊技機」拒絶査定不服審判事件〔平成３０年　６月２８日出願公開、特開２０１８−　９９４５８号〕について、次のとおり審決する。
【結　論】
　本件審判の請求は、成り立たない。
【理　由】
第１　手続の経緯
　本件に係る出願（以下「本願」という。）は、平成２８年１２月２１日の出願であって、平成３０年８月２８日付けで拒絶の理由が通知され、同年１０月２９日に意見書及び手続補正書が提出され、平成３１年３月２９日付けで最後の拒絶の理由が通知され、令和１年５月３１日に意見書及び手続補正書が提出され、同年１０月２４日付け（謄本送達日：同年同月２９日）で、同年５月３１日に提出された手続補正書による補正が却下されるとともに拒絶査定がなされ、これに対し、令和２年１月２９日に拒絶査定不服審判の請求がなされると同時に手続補正書が提出されたものである。
第２　補正の却下の決定
［補正の却下の決定の結論］
　令和２年１月２９日に提出された手続補正書による補正（以下、「本件補正」という。）を却下する。
［理由］
１　補正の内容
　本件補正は、特許請求の範囲についてする補正を含むものであって、平成３０年１０月２９日提出の手続補正書によって補正された本件補正前の請求項１に、
「遊技が可能な遊技機であって、
　遊技の進行に伴って発光する第１発光手段と、
遊技媒体
に遊技媒体
　
遊技媒体
　前記案内部を補強するリブ部材と、を備え
、
　
前
　前記第２発光手段は、
発した光が前記リブ部材に入射して反射するように
　前記複数種類の発光手段のうち前記第１発光手段
ではなく
　ことを特徴とする遊技機。」とあったものを、
「遊技が可能な遊技機であって、
　遊技の進行に伴って発光する第１発光手段と、
光を反射可能な遊技球
を遊技球
　
遊技球
　前記案内部を補強するリブ部材と、を備え
、
　
前記所定領域は、光を透過可能な壁部により画定され遊技機の後方に延びる流路を含み、
　
前
　前記第２発光手段は、
前記リブ部材を透過せずに遊技機の前方へ出射される光と、前記リブ部材に入射し該リブ部材の端面で反射して遊技機の前方へ出射される光と、を出射可能に設けられるとともに、出射した光が前記所定領域を通過する遊技球で反射し、反射した光が遊技機の前方へ進行可能となるように
　前記複数種類の発光手段のうち前記第１発光手段
の発光態様は調整不能である一方で、
　ことを特徴とする遊技機。」とする補正を含むものである（なお、下線は補正前後の箇所を明示するために合議体が付した。）。
２　補正の適否について
（１） 補正の目的
　本件補正は、本件補正前の請求項１に記載した発明を特定するために必要な事項である「遊技媒体」に関して、「遊技球」又は「光を反射可能な遊技球」と限定し、また、本件補正前の請求項１に記載した発明を特定するために必要な事項である「所定領域」に関して、「前記所定領域は、光を透過可能な壁部により画定され遊技機の後方に延びる流路を含み」と限定し、さらに、本件補正前の請求項１に記載した発明を特定するために必要な事項である「第２発光手段」は「発した光が前記リブ部材に入射して反射するように」設けられていることに関して、「前記リブ部材に入射し該リブ部材の端面で反射して遊技機の前方へ出射される光・・・を出射可能に設けられる」と限定し、加えて、「前記リブ部材を透過せずに遊技機の前方へ出射される光と、・・・を出射可能に設けられるとともに、出射した光が前記所定領域を通過する遊技球で反射し、反射した光が遊技機の前方へ進行可能となるように」と限定し、また、本件補正前の請求項１に記載した発明を特定するために必要な事項である「第１発光手段」に関して、「発光態様は調整不能である」ことを限定するものである。
（２）新規事項
　本件補正は、本願の願書に最初に添付した明細書、特許請求の範囲又は図面における【００７８】、【００９９】、【０１０８】、【０１１２】、【０１３９】等の記載に基づくものであり、新たな技術事項を導入するものではないから、特許法第１７条の２第３項に規定する要件を満たす。
３　独立特許要件について
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）についても、以下、検討する。
（１）本願補正発明
　本願補正発明を再掲すると、次のとおりのものである（なお、ＡないしＩについては、分説するため合議体が付した。）。
「Ａ　遊技が可能な遊技機であって、
　Ｂ　遊技の進行に伴って発光する第１発光手段と、光を反射可能な遊技球が通過可能な所定領域を遊技球が通過したか否かに関わらず発光可能な第２発光手段とを含む複数種類の発光手段と、
　Ｃ　遊技球を前記所定領域に案内する案内部と、
　Ｄ　前記案内部を補強するリブ部材と、を備え、
　Ｅ　前記所定領域は、光を透過可能な壁部により画定され遊技機の後方に延びる流路を含み、
　Ｆ　前記リブ部材は透光性を有し、
　Ｇ　前記第２発光手段は、前記リブ部材を透過せずに遊技機の前方へ出射される光と、前記リブ部材に入射し該リブ部材の端面で反射して遊技機の前方へ出射される光と、を出射可能に設けられるとともに、出射した光が前記所定領域を通過する遊技球で反射し、反射した光が遊技機の前方へ進行可能となるように設けられ、
　Ｈ　前記複数種類の発光手段のうち前記第１発光手段の発光態様は調整不能である一方で、前記第２発光手段の発光態様を、複数段階定められた発光態様のうちのいずれかの発光態様に操作に基づいて調整可能な調整手段をさらに備える、
　Ｉ　ことを特徴とする遊技機。」
（２）引用例
ア　引用例１
　原査定の拒絶の理由に引用文献１として引用され、本願出願前に頒布され又は電気通信回線を通じて公衆に利用可能となった特開２００９−２４０４９４号公報（平成２１年１０月２２日出願公開、以下「引用例１」という。）には、弾球遊技機（発明の名称）に関し、次の事項が図とともに記載されている（なお、下線は引用発明等の認定に関連する箇所を明示するために合議体が付した。以下同様。）。
　
（ア）「【００２４】 
　本実施形態の
パチンコ機１は、
遊技球
遊技を行うもの
　・・・略・・・
【００２７】
　また、皿ユニット１６の右部には、上記発射装置を操作して遊技球を遊技領域３ａに向けて打ち出すための発射ハンドル２が配設されており、皿ユニット１６の左下方の台座部１５には灰皿２１及び遊技者参加ボタン（所謂チャンスボタン）２２が配設されている。なお、図１中の符号１４は、発射ハンドル２の操作で発射された遊技球Ｂａを遊技領域３ａに導くガイドレールを示し、
符号５５は、遊技中の状態をＬＥＤの発光などで報知する状態表示部
（イ）「【図１】
」
（ウ）「【００３５】
　また、パチンコ機１は、演出制御手段７０を有する制御部６９を内部に備えている。該制御部６９は、後述する主制御基板４０や副制御基板３８等から構成されている。上記演出制御手段７０は、放音装置１２を放音駆動し、演出用照明装置１１を発光駆動して遊技者の聴覚や視覚に訴える演出を行うと共に、
大当たり抽選に伴って決まった演出態様に対応するように、
ＬＥＤ
６２ｂ
を発光させる制御を行う
　・・・略・・・
【００４０】
　すなわち、上記ステージＳは、図２ないし図４に示すように、遊技盤３の前後方向（図２の矢印ａ）に隣接し且つそれぞれに光透過性を有する複数（本実施形態では３つ）のステージ構成部材５２，５３，５４を有している。ステージ構成部材５２，５３，５４は、遊技盤３の前後方向ａ（図２及び図５参照）と交差する左右幅方向に延在し且つ該前後方向ａに沿って延びる転動路５２ａ，５３ａ，５４ａをそれぞれ有している。つまり、ステージ構成部材５２は前後方向ａに沿って延びる転動路５２ａを有し、ステージ構成部材５３は前後方向ａに沿って延びる転動路５３ａを有し、ステージ構成部材５４は前後方向ａに沿って延びる転動路５４ａを有している。そして、ステージ構成部材５２，５３，５４は、互いに分離可能に構成されており、
該ステージ構成部材５３は、光透過性を有し且つ前後方向ａに沿って延びるリブ５３ｂを備えている。
（エ）「【図４】
」
（オ）「【００４３】
　ステージ構成部材５２は、前後方向ａにおける前側にて転動路５２ａに連結されるように一体的に形成された光透過性を有するパネル部５２ｂを有している。ステージ構成部材５３は、前後方向ａにおける
前側にて
リブ５３ｂに
連結されるように一体的に形成された
パネル部５３ｄ
ステージ構成部材５２，５３，５４をはじめ、これらに備えた転動路５２ａ、転動路５３ａ、リブ５３ｂ及び転動路５４ａ、並びにパネル部５２ｂ，５３ｄ，５４ｃは、いずれも光透過性を有する合成樹脂等からなる。
　・・・略・・・
【００４５】
　更に、ステージ構成部材５２の前側に隣接する
ステージ構成部材５３は、
転動路５３ａを転がり移動する遊技球Ｂａを後方の落下孔４９（図３参照）に導く案内凹部５９
を転動路５３ａに有している。
（カ）「【図３】
」
（キ）「【００４８】
　図４及び図５に示すように、センター飾り２３の正面視における
転動路５２ａ，５３ａ，５４ａ及びリブ５３ｂの背面側には、前述したように、各ステージ構成部材５２〜５４の少なくとも上下方向で重ならない露出部分Ｅ１，Ｅ２，Ｅ３の背面側に該露出部分Ｅ１，Ｅ２，Ｅ３とそれぞれ重なり合うようにＬＥＤ６２ａ，６２ｂ，６２ｃが、基板６１に実装された形で配置されている。
列状の複数のＬＥＤ６２ｂうちの或るものは、転動路５３ａの後方に位置してその指向性のある光Ｌ２を該転動路５３ａの上下方向中央付近に照射し得る
【００４９】
　そして、図５に示すように、
上記ＬＥＤ６２ａ，６２ｂ，６２ｃから照射される光の一部（Ｌ１，Ｌ２，Ｌ３）
　・・・略・・・
【００６１】
　ここで、ステージＳは、前後方向ａに隣接し且つそれぞれに光透過性を有するステージ構成部材５２〜５４を有し、該ステージ構成部材５２〜５４が、遊技盤３の前後方向ａと交差する左右幅方向に延在し且つ該前後方向ａに沿って延びる転動路５２ａ，５３ａ，５４ａを有し、センター飾り２３の正面視において、各
ステージ構成部材５２〜５４の
背面側には、
ＬＥＤ６２ａ〜６２ｃが配置される
ステージ構成部材５２〜５４
背面側端部から転動路５２ａ〜５４ａ内に入射した光Ｌ１，Ｌ２，Ｌ３が全反射を繰り返すなどで前側端部から射出し
転動路５２ａ〜５４ａの各前端部及びその周辺部が際立つように発光され、
　・・・略・・・
【００６４】
　更に、ステージ構成部材５３が、光透過性を有し且つ前後方向に沿って延びるリブ５３ｂを備え、センター飾り２３の正面視において、
リブ５３ｂの背面側に該リブ５３ｂと重なり合うようにＬＥＤ６２ｂを配置したことで、前端部が際立つように発光する転動路５３ａとともにリブ５３ｂも同様に発光させることができ
（ク）「【図５】
」
（ケ）【００４３】の「ステージ構成部材５２，５３，５４をはじめ、これらに備えた転動路５２ａ、転動路５３ａ、リブ５３ｂ及び転動路５４ａ、並びにパネル部５２ｂ，５３ｄ，５４ｃは、いずれも光透過性を有する合成樹脂等からなる。」との記載、【００４５】の「
ステージ構成部材５３は、・・・転動路５３ａを転がり移動する遊技球Ｂａを後方の落下孔４９（図３参照）に導く案内凹部５９
を転動路５３ａに有している。
案内凹部５９は光透過性を有する壁部により画定される流路を含むもの
　上記（ア）〜（ケ）から、引用例１には、実施形態として、次の発明が記載されている。なお、ａないしｉについては本願発明のＡないしＩに概ね対応させて付与し、引用箇所の段落番号等を併記した。
「ａ　遊技を行うものであるパチンコ機１（【００２４】）であって、
　ｂ、ｃ　遊技中の状態をＬＥＤの発光などで報知する状態表示部５５（【００２７】）と、ステージ構成部材５３の転動路５３ａを転がり移動する遊技球を後方の落下孔４９に導く案内凹部５９（【００４５】）と、転動路５３ａの後方に位置してその指向性のある光Ｌ２を該転動路５３ａの上下方向中央付近に照射し得、大当たり抽選に伴って決まった演出態様に対応するように発光させるように制御されるＬＥＤ６２ｂ（【００３５】、【００４８】）と、
　ｄ、ｆ　ステージ構成部材５３が備えるものであって、光透過性を有し且つ前後方向に沿って延び、前側のパネル部５３ｄと連結されるように一体形成されたリブ５３ｂと（【００４０】、【００４３】）、を備え、
　ｅ　案内凹部５９は光透過性を有する壁部により画定される流路を含むものであり（上記（ケ））、
　ｇ　ステージ構成部材５２〜５４の背面側にはＬＥＤ６２ａ〜６２ｃが配置され、背面側端部から転動路５２ａ〜５４ａ内に入射した光Ｌ１，Ｌ２，Ｌ３が全反射を繰り返すなどで前側端部から射出して転動路５２ａ〜５４ａの各前端部及びその周辺部が際立つように発光させるとともに、リブ５３ｂの背面側に該リブ５３ｂと重なり合うようにＬＥＤ６２ｂを配置したことで、前端部が際立つように発光する転動路５３ａとともにリブ５３ｂも同様に発光させる（【００６１】、【００６４】）、
　ｉ　パチンコ機１（【００２４】）」（以下「引用発明」という。）
イ　引用例２
　原査定の拒絶の理由に引用文献２として引用され、本願出願前に頒布され又は電気通信回線を通じて公衆に利用可能となった特開２００８−２６４２８７号公報（平成２０年１１月６日出願公開、以下「引用例２」という。）には、遊技機（発明の名称）に関し、次の事項が図とともに記載されている。
（ア）「【００４６】
　以下、パチンコ遊技機（以下、単に「パチンコ機」という）の一実施形態を、図面に基づいて詳細に説明する。図１は
パチンコ機１０
　・・・略・・・
【００５４】
　可変表示装置ユニット３５には、第２契機対応口３４の通過をトリガとして普通図柄を変動表示する
普通図柄表示装置４１
特別表示装置４３
　・・・略・・・
【００６２】
　また、本実施形態では、センターフレーム４７には、
それぞれ８つのＬＥＤ（ＬＥＤ７０１〜７０８、ＬＥＤ７０９〜７１６）を有する発光手段としての第１発光体ユニット４０１及び第２発光体ユニット４０２が設けられ
【００６３】
　尚、本実施形態では、第１及び第２発光体ユニット４０１、４０２は、ＬＥＤ７０１〜７０８、ＬＥＤ７０９〜７１６を搭載する基板と、基板前方に配置される透明なパネルと、パネルの前方に配置される断面略コ字状の透明なワープ構成部とを備え、前記パネル及びワープ構成部によってワープ流路１５２が形成されている。
また、ステージ１５３のうち少なくともＬＥＤ７０１〜７１６の前方に位置する部位は透明な素材により構成され
ＬＥＤ７０１〜７１６から発せられた光は、
ステージ１５３を介してパチンコ機１０の前方へと照射されることとなる。
　
（イ）「【図３】
」
　
（ウ）「【０１０８】
　かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した
特別表示装置４３および普通図柄表示装置４１は、主制御装置２６１により直接的に制御される。
　・・・略・・・
【０１１０】
　入出力ポート５５４には、バスライン５５５を介してＣＰＵ５５１、ＲＯＭ５５２、ＲＡＭ５５３が接続されるとともに、表示制御装置４５が接続されている。さらに、
入出力ポート５５４には、
明るさ調節スイッチ１３２が接続されている。
　・・・略・・・
【０１１２】
　さらに、コモン信号線ＣＯＭ１、ＣＯＭ２、及びセグメント信号線ＳＥＧ１〜ＳＥＧ８は、それぞれ図示しないトランジスタ等のスイッチング素子を介して、それぞれ入出力ポート５５４に接続されている。各ＬＥＤ７０１〜７１６は、アノード側及びカソード側にそれぞれ設けられたスイッチング素子が両方ともオンとなることによって通電し、点灯する構成となっている。そして、
サブ制御装置２６２は、
ＬＥＤ７０１〜７１６を点灯制御している。
（エ）「【図６】
」
（オ）「【０１１５】
　また、本実施形態では、
操作手段としての明るさ調節スイッチ１３２の押圧操作に応じて、ＬＥＤ７０１〜７１６の明るさを３段階で調節可能に構成されている。
　・・・略・・・
【０３６０】
　以上詳述したように、本実施形態では、前面枠セット１４の前面に設けられた明るさ調節スイッチ１３２を押圧操作することで、第１及び第２発光体ユニット４０１、４０２の明るさ（単位時間当たりの光量）を調節できるようになっている。このため、遊技者は、第１及び第２発光体ユニット４０１、４０２の明るさを、自分にとって好ましい明るさとなるように適宜調節することができる。つまり、第１及び第２発光体ユニット４０１、４０２による明るく煌びやかな光の態様を堪能することもできるし、第１及び第２発光体ユニット４０１、４０２が明るすぎると思われる場合には暗くして視覚疲労の抑制等を図ることができる。結果として、
光の態様に対する感覚の個人差を許容し、快適な遊技環境を提供する
（カ）　【０１１０】の「
入出力ポート５５４には、
明るさ調節スイッチ１３２が接続されている。
　上記（ア）〜（カ）からみて、引用例２には、次の事項が記載されている。なお、引用箇所の段落番号等を併記した。
「特別表示装置４３および普通図柄表示装置４１が主制御装置２６１により直接的に制御され（【００５４】、【０１０８】）、
　それぞれ８つのＬＥＤ（ＬＥＤ７０１〜７０８、ＬＥＤ７０９〜７１６）を有する発光手段としての第１発光体ユニット４０１及び第２発光体ユニット４０２が設けられ（【００６２】）、
　ステージ１５３のうち少なくともＬＥＤ７０１〜７１６の前方に位置する部位は透明な素材により構成され、ＬＥＤ７０１〜７１６から発せられた光は、ステージ１５３を介してパチンコ機１０の前方へと照射されるものであり（【００６３】）、
　サブ制御装置２６２に接続された操作手段としての明るさ調節スイッチ１３２の押圧操作に応じて、サブ制御装置２６２がＬＥＤ７０１〜７１６の明るさを３段階で調節可能に構成されている（【０１１２】、【０１１５】、上記（カ））、
　パチンコ機１０（【００４６】）」（以下「引用例２の記載事項」という。）
（４）対比
　本願補正発明と引用発明とを対比する（見出し（ａ）ないし（ｉ）は、本願補正発明の特定事項ＡないしＩに対応する。）。
（ａ）（ｉ）引用発明の「遊技を行うものであるパチンコ機１」、「パチンコ機１」は、それぞれ本願補正発明の特定事項Ａの「遊技が可能な遊技機」、特定事項Ｉの「遊技機」に相当する。
（ｂ）（ｃ）引用発明の「遊技中の状態をＬＥＤの発光などで報知する状態表示部５５」は、当業者にしてみれば、遊技の進行に伴って発光するいわゆる図柄（特図、普図）の表示部を有することは明らかであり、また、このような図柄の表示部の発光態様が調整不能であることは遊技機の技術分野において技術常識であるから、本願補正発明の「遊技の進行に伴って発光する第１発光手段」に相当する。
　また、引用発明の「遊技球」は、遊技機の技術分野において遊技球が光を反射可能であることは技術常識であるから、本願補正発明の「光を反射可能な遊技球」に相当する。
　さらに、引用発明の「案内凹部５９」、「ＬＥＤ６２ｂ」は、それぞれ本願補正発明の「所定領域」、「第２発光手段」に相当する。
　また、引用発明の「転動路５３ａ」は、遊技球を案内凹部５９（所定領域）に案内していることは当業者にしてみれば明らかであるから、本願補正発明の「遊技球を前記所定領域に案内する案内部」に相当する。
　そうすると、引用発明のｂ、ｃと、本願補正発明の発明特定事項Ｂとは、「Ｂ’遊技の進行に伴って発光する第１発光手段と、第２発光手段とを含む複数種類の発光手段」で一致し、また、引用発明のｂ、ｃは、本願補正発明の「Ｃ　遊技球を前記所定領域に案内する案内部」に相当する構成を備える。
（ｄ）引用発明の「リブ５３ｂ」は、「リブ」との用語が部材を補強する意味を持つものであることから、転動路５３ａ（案内部）を補強する機能を備えることは当業者にしてみれば明らかであるため、本願補正発明の「Ｄ　前記案内部を補強するリブ部材」に相当する。
（ｅ）引用発明の「ｅ　案内凹部５９は光透過性を有する壁部により画定される流路を含むものであり」は、本願補正発明の「Ｅ　前記所定領域は、光を透過可能な壁部により画定され遊技機の後方に延びる流路を含み」に相当する。
（ｆ）引用発明の「光透過性を有し且つ前後方向に沿って延び、前側のパネル部５３ｄと連結されるように一体形成されたリブ５３ｂ」は、本願補正発明の「Ｆ　前記リブ部材は透光性を有し」に相当する構成を備える。
（ｇ）引用発明の「ｇ　ステージ構成部材５２〜５４の背面側にはＬＥＤ６２ａ〜６２ｃが配置され、背面側端部から転動路５２ａ〜５４ａ内に入射した光Ｌ１，Ｌ２，Ｌ３が全反射を繰り返すなどで前側端部から射出して転動路５２ａ〜５４ａの各前端部及びその周辺部が際立つように発光させるとともに、リブ５３ｂの背面側に該リブ５３ｂと重なり合うようにＬＥＤ６２ｂを配置したことで、前端部が際立つように発光する転動路５３ａとともにリブ５３ｂも同様に発光させる」との事項について、ＬＥＤから出射される光は、ある程度の指向性はあるものの完全な直進性を有するものではなく、広がりがあることが技術常識であり、これは、引用例１の【００４９】において「上記ＬＥＤ６２ａ，６２ｂ，６２ｃから照射される光の一部（Ｌ１，Ｌ２，Ｌ３）」と記載されているように、Ｌ２がＬＥＤ６２ｂから照射される光の一部であることや、引用発明において、背面側端部から転動路５２ａ〜５４ａ内に入射した光Ｌ１，Ｌ２，Ｌ３が全反射を繰り返していることからも明らかであるところ、リブ５３ｂと重なり合うように配置したＬＥＤ６２ｂから出射される光の一部に、リブ５３ｂを透過せずにパチンコ機１の前方に出射する光があることは明らかである。また、引用発明においては、背面側端部から転動路５２ａ〜５４ａ内に入射した光Ｌ１，Ｌ２，Ｌ３が全反射を繰り返すなどで前側端部から射出しており、これに加えて、リブ５３ｂの背面側に該リブ５３ｂと重なり合うようにＬＥＤ６２ｂを配置したことで、前端部が際立つように発光する転動路５３ａとともにリブ５３ｂも同様に発光させるものであるのだから、リブ５３ｂの内部で全反射する光があることは明らかである。
　そうすると、上述した引用発明のｇの事項と、本願補正発明の特定事項Ｇとは、「Ｇ’前記第２発光手段は、前記リブ部材を透過せずに遊技機の前方へ出射される光と、前記リブ部材に入射し該リブ部材の端面で反射して遊技機の前方へ出射される光と、を出射可能に設けられる」で一致する。
　以上のとおりであるから、本願補正発明と引用発明とは、
「Ａ　遊技が可能な遊技機であって、
　Ｂ’遊技の進行に伴って発光する第１発光手段と、該第１発光手段と異なる第２発光手段とを含む複数種類の発光手段と、
　Ｃ　遊技球を前記所定領域に案内する案内部と、
　Ｄ　前記案内部を補強するリブ部材と、を備え、
　Ｅ　前記所定領域は、光を透過可能な壁部により画定され遊技機の後方に延びる流路を含み、
　Ｆ　前記リブ部材は透光性を有し、
　Ｇ’前記第２発光手段は、前記リブ部材を透過せずに遊技機の前方へ出射される光と、前記リブ部材に入射し該リブ部材の端面で反射して遊技機の前方へ出射される光と、を出射可能に設けられる、
　Ｉ　遊技機。」である点で一致し、以下の点で相違する。
・相違点１（特定事項Ｂ）
　「第２発光手段」は、
　本願補正発明では、「光を反射可能な遊技球が通過可能な所定領域を遊技球が通過したか否かに関わらず発光可能」であるのに対して、
　引用発明では、案内凹部５９（所定領域）を遊技球が通過したか否かにかかわらず発光可能であるのかどうか、明らかではない点。
・相違点２（特定事項Ｇ）
　「第２発光手段」は、
　本願補正発明では、「出射した光が前記所定領域を通過する遊技球で反射し、反射した光が遊技機の前方へ進行可能となるように設けられ」るのに対して、
　引用発明では、出射した光が案内凹部５９（所定領域）を通過する遊技球で反射し、反射した光が遊技機の前方へ進行可能となるように設けられているかどうかが明らかでない点。
・相違点３（特定事項Ｈ）
　本願補正発明は、「前記複数種類の発光手段のうち前記第１発光手段の発光態様は調整不能である一方で、前記第２発光手段の発光態様を、複数段階定められた発光態様のうちのいずれかの発光態様に操作に基づいて調整可能な調整手段」を備えるのに対して、
　引用発明は、状態表示部５５（第１発光手段）及びＬＥＤ６２ｂ（第２発光手段）を有するものの、両発光手段の発光態様が調整不能又は調整可能であるかに関する特定がない点。
（５）判断
　ア　相違点１について
　引用例１においては、案内凹部５９に、遊技球を検知可能なセンサが設けられている等といったことは記載されていないから、引用発明は、案内凹部５９で遊技球が通過したか否かを検出できるものではない。また、引用発明において、ＬＥＤ６２ｂは、大当たり抽選に伴って決まった演出態様に対応するように発光するものであるため、案内凹部５９を遊技球が通過したか否かによってＬＥＤ６２ｂを制御できるとは考えられないから、引用発明は、案内凹部５９を遊技球が通過したか否かにかかわらずＬＥＤ６２ｂが発光可能な構成であるということができ、これは本願補正発明の「光を反射可能な遊技球が通過可能な所定領域を遊技球が通過したか否かに関わらず発光可能」という特定事項を備えるものである。
　したがって、上記相違点１は、実質的な相違点ではない。
　イ　相違点２について
　上記（４）（ｇ）において述べたとおり、一般的にＬＥＤから出射される光は広がりがあることが技術常識である。そうすると、引用発明において、ＬＥＤ６２ｂから出射した光は、その全ての光が案内凹部５９を通過する遊技球に反射してＬＥＤ６２ｂへと戻るといったものではなく、例えば、案内凹部５９を通過する遊技球で反射したものが他部材でさらに反射してパチンコ機１の前方へ進行したり、ＬＥＤ６２ｂから出射した光が他部材で反射・拡散等してから、案内凹部５９を通過する遊技球でさらに反射してパチンコ機１の前方へ進行したり、ＬＥＤ６２ｂから出射した光が、案内凹部５９を通過する遊技球への入射角や遊技球表面の入射領域次第で前方へと反射したりすることは、当業者にしてみれば明らかである。
　したがって、上記相違点２は、実質的な相違点ではない。
　ウ　相違点３について
　引用例２の記載事項の「特別表示装置４３及び普通図柄表示装置４１」、「第１発光体ユニット４０１及び第２発光体ユニット４０２」、「３段階」、「明るさ調節スイッチ１３２の押圧操作」は、それぞれ本願補正発明の「第１発光手段」、「第２発光手段」、「複数段階」、「操作」に相当する。また、引用例２の記載事項において、特別表示装置４３及び普通図柄表示装置４１（第１発光手段）は、主制御装置２６１により直接的に制御され、第１発光体ユニット４０１及び第２発光体ユニット４０２（第２発光手段）は明るさ調節スイッチ１３２が接続されたサブ制御装置２６２により制御され、特別表示装置４３及び普通図柄表示装置４１（第１発光手段）の発光態様が調整不能であることが技術常識からみても明らかであることから、引用例２の記載事項は、相違点３に係る本願補正発明の構成について開示している。
　そして、引用発明及び引用例２の記載事項は、いずれも、ステージを有し、ステージを後方から照らす発光素子を備えるといった、共通の構成を備えるパチンコ遊技機に関するものであるところ、引用発明において、光の態様に対する感覚の個人差を許容し、快適な遊技環境を提供するといった目的で（引用例２の【０３６０】）、引用例２の記載事項の構成を採用することで、ＬＥＤ６２ｂ（第２発光手段）の発光態様を調整可能とし、上記相違点３に係る本願補正発明の構成となすことは、当業者が容易に想到し得たことである。
（６）本願補正発明の奏する効果は、引用発明の奏する効果及び引用例２の記載事項の奏する効果から、予測することができた程度のものである。
（７）請求人の主張について
　請求人は、審判請求書の「４．本願発明が特許されるべき理由」の「（１）本願発明について」及び「（２）本願発明と引用発明との対比」において、以下のとおり主張している。
「４．本願発明が特許されるべき理由
（１）本願発明について
ａ）請求項１に係る発明は、
　前記所定領域は、光を透過可能な壁部により画定され遊技機の後方に延びる流路を含み、
　前記第２発光手段は、（中略）、出射した光が前記所定領域を通過する遊技球で反射し、反射した光が遊技機の前方へ進行可能となるように設けられ、
　という構成を有しています。」
「（２）本願発明と引用発明との対比
ａ）引用文献１は、遊技球が移動する転動路５２ａ、５３ａ、５４ａの後方にＬＥＤ６２ａ、６２ｂ、６２ｃを設け、転動路５２ａ、５３ａ、５４ａ及び転動路５２ａ、５３ａ、５４ａを移動する遊技球に光を照射する技術を開示しています。この転動路５２ａ、５３ａ、５４ａは、遊技盤に対して平行となるように形成されており、本願のように遊技機の後方に向けて延びる流路を含んでいません。そのため、転動路５２ａ、５３ａ、５４ａを移動する遊技球には後方から光が照射されることになり、前方の遊技者側には遊技球で反射した光は進行することはありません。引用文献１の段落００６２には、後方のＬＥＤ６２ａ、６２ｂ、６２ｃから発せられた光が転動路５２ａ、５３ａ、５４ａを移動する遊技球により遮られ、暗くなる部分が形成される点が記載されています。このように、引用文献１は、後方に流下する遊技球に光を照射することで、反射光による演出を実行可能とする上記項目４．（１）ａ）に記載の構成（審決注：本願補正発明のＥと、Ｇのうち相違点２に係る発明特定事項。）を何ら開示も示唆していないことはあきらかです。」
　しかしながら、上記（４）で示したとおり、本願補正発明のＥに係る発明特定事項は引用発明が有しており、また、上記（５）イで示したとおり、本願補正発明Ｇのうち相違点２に係る発明特定事項は、実質的な相違点とはならないものである。
　したがって、上記主張は採用できない。
（８）まとめ
　以上のように、本願補正発明は、当業者が、引用発明及び引用例２の記載事項に基いて容易に発明をすることができたものである。
　したがって、本願補正発明は、特許法第２９条第２項の規定により特許出願の際独立して特許を受けることができないものである。
４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記第２のとおり却下されたので、本願に係る発明は、平成３０年１０月２９日提出の手続補正書により補正された特許請求の範囲の請求項１、２に記載されたものであるところ、そのうち請求項１に係る発明は、上記第２〔理由〕１に本件補正前の請求項１として記載したとおりのものである。
２　原査定の拒絶の理由の概要
　原査定の拒絶の理由は、この出願の平成３０年１０月２９日提出の手続補正書により補正された請求項１に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない、というものである。
＜引用文献等一覧＞
１.特開２００９−２４０４９４号公報
２.特開２００８−２６４２８７号公報
３　引用例
　引用例１（引用文献１）及び引用例２（引用文献２）は、上記第２〔理由〕３（２）ア及びイに記載したとおりである。
４　対比・判断
　本願発明（上記第２〔理由〕１）は、本願補正発明（上記第２〔理由〕３（１））から、上記相違点１に係る発明特定事項の一部と、上記相違点２に係る発明特定事項とを含む発明特定事項を削除又は上位概念化したものである。
　そうすると、本願発明と引用発明とは、事実上、相違点１、３でのみ相違するから、本願発明も、上記第２〔理由〕３（５）ア及びウで示した理由と同様の理由により、当業者が、引用発明及び引用例２の記載事項に基づいて、容易に発明をすることができたものである。
５　むすび
　以上のとおりであるから、本願発明は、特許法第２９条第２項の規定により特許を受けることができない。
　したがって、他の請求項に係る発明について検討するまでもなく、本願は、拒絶されるべきものである。
　よって、結論のとおり審決する。